(57)【要約】【課題】  磁石による着脱の容易性を確保して、かつ、ジョイント部がジョイント後でも簡単に曲げることが可能な紐状体用ジョイントを提供する。【解決手段】  紐状体１０の両端部のそれぞれに設けられ、紐状体の両端部を接続して環状にする紐状体用ジョイント１１において、該紐状体用ジョイント１１が、底部に貫通孔１１ｅのある有底の筒状体１１ａと、該筒状体内に収容され一部が前記底部の貫通孔から外部に露出可能な球形の磁石１１ｆと、を有し、この球形の磁石１１ｆが回動自在な構成とした。紐状体用ジョイント１１，１１を結合すると、この球形の磁石１１ｆ同士が吸着し、吸着後も自在に曲げることができる。【選択図】      図２
2008136521.tif 000002
【特許請求の範囲】
【請求項１】
紐状体の両端部のそれぞれに設けられ、紐状体の両端部を接続して環状にする紐状体用ジョイントにおいて、該紐状体用ジョイントが、球面の一部を成す端部を備え、該端部が球形の磁石を有し、該球形の磁石が、磁極の位置を変えるために回動自在であることを特徴とする紐状体用ジョイント。
【請求項２】
前記ジョイントが、球面の一部を成す底部を備えた有底の筒状体と、該筒状体内に収容された球形の磁石とを有することを特徴とする請求項１に記載の紐状体用ジョイント。
【請求項３】
前記ジョイントが、底部に貫通孔のある有底の筒状体と、該筒状体内に収容され一部が前記底部の貫通孔から外部に露出可能な球形の磁石と、を有することを特徴とする請求項１に記載の紐状体用ジョイント。
【発明の詳細な説明】
【技術分野】
【０００１】
本発明は、ネックレスを始め、各種の紐状体の両端部に設けられ、紐状体の両端部を結合して環状にする紐状体用ジョイントに関する。
【背景技術】
【０００２】
従来、ネックレス類のジョイントとしては、特許文献１（特開２０００−１８９２２２号）がある。これは、円柱状の側面に先端から鉤型に形成された係合溝を有する凸側係合体と、この凸型係合体が挿入される差込穴と、この差込穴の中間にあって、穴の中心に向かって突出する係合突起を備えた構成である。
【０００３】
あるいは、ネックレスの両端部に磁石を固定し、両端の磁石を吸着することによって、環状にする構成のものも知られている。磁石を利用することで、簡単に接続、離脱ができることになる。
【特許文献１】特開２０００−１８９２２２号
【発明の開示】
【発明が解決しようとする課題】
【０００４】
しかしながら、特許文献１に記載のものも、ネックレスの両端部に磁石を固定し、両端の磁石を吸着することによって、環状にする構成のものも、いずれも、ジョイント部が直線状に固定され、ジョイントした部分をジョイント後に曲げることができない。磁石の場合には無理に曲げると離反してしまう。そのため、環状の一部に直線状の部分が残り、ネックレスとしての美感が損なわれるという問題がある。また、ジョイント部が直線的なことから、ネックレス等の紐状体に長さの余裕がなければ接続できない等、使用上での制限を受けるという問題がある。
【０００５】
本発明は、このような問題の解決を図ったもので、磁石による着脱の容易性を確保して、かつ、ジョイント部がジョイント後でも簡単に曲げることが可能な紐状体用ジョイントを提供することを目的としている。
【課題を解決するための手段】
【０００６】
上記の目的を達成するために本発明の紐状体用ジョイントは、紐状体の両端部のそれぞれに設けられ、紐状体の両端部を接続して環状にする紐状体用ジョイントにおいて、該紐状体用ジョイントが、球面の一部を成す端部を備え、該端部が球形の磁石を有し、該球形の磁石が、磁極の位置を変えるために回動自在であることを特徴としている。
【０００７】
前記ジョイントが、球面の一部を成す底部を備えた有底の筒状体と、該筒状体内に収容された球形の磁石とを有する構成としたり、前記ジョイントが、底部に貫通孔のある有底の筒状体と、該筒状体内に収容され一部が前記底部の貫通孔から外部に露出可能な球形の磁石と、を有する構成としたりすることができる。
【発明の効果】
【０００８】
紐状体の両端に設けられた紐状体用ジョイントを近づけると、球形の磁石の吸引力で簡単に吸着し、環状になる。双方の球形の磁石の磁極が、同磁極の場合、反発しあって吸着されないが、このような場合は、一方又は双方の球形の磁石が回転し、異なる磁極が対向するようになって、吸着できるようになる。両端の紐状体用ジョイントが吸着した状態は、球面と球面とが点で接触した状態なので、紐状体用ジョイントが結合した部分を環の形状に沿わせて曲げることができる。
【０００９】
本発明の紐状体用ジョイントによれば、紐状体の両端を接続して環状にした後、ジョイントの部分を自在に折り曲げることができるという優れた効果を奏し得る。また、２つの球形磁石が吸着すると、磁束密度も単独の磁石の場合より低下し、低い磁束密度で強い吸着力を得ることができる。
【発明を実施するための最良の形態】
【００１０】
以下、本発明の実施の形態を添付図面を参照して説明する。
【００１１】
図１は、本発明の紐状体用ジョイントの使用状態を示す図である。同図において、紐状体１０は、両端部に同じ形状・構造の紐状体用ジョイント（以下「ジョイント」と言う）１１，１１を備えたものである。紐状体１０としては、ネックレス等の貴金属の鎖や、各種の装身具やハンドバッグなどの紐類など、多様な用途に使用できるものである。
【００１２】
図２は、ジョイント１１の拡大断面図である。ジョイント１１は、有底の筒状体１１ａの一端に、蓋体１１ｂをネジで螺合している。図示の実施例の筒状体１１ａは、円筒形状であるが多角形の筒状でもよい。筒状体１１ａの底部には、すり鉢状に傾斜した斜面１１ｃがあり、この中心に貫通孔１１ｄが穿設されている。一方、蓋体１１ｂにも中心部に貫通孔１１ｅがある。
【００１３】
筒状体１１ａ内には、球形の磁石１１ｆが収容されている。磁石１１ｆの外径は、筒状体１１ａの内径より若干小さく、筒状体１１ａ内で回転することが可能である。また、磁石１１ｆは、その一部が底部の貫通孔１１ｄから外に突出可能な状態となっている。
【００１４】
蓋体１１ｂの中心に穿設された貫通孔１１ｅには、紐状体１０の端部が挿通され、蓋体１１ｂの内側で留具１０ａを固定することにより紐状体１０が蓋体１１ｂから抜け出るのを防止している。紐状体１０の端面と球形の磁石１１ｆとの間には、スペーサ１１ｇが設けられ、磁石１１ｆが移動できる範囲を制限している。
【００１５】
仮想線で示すもう一方のジョイント１１も同じ構成となっている。そのため、紐状体１０の両端にジョイント１１を取り付け、ジョイント１１同士を近づけると、球形の磁石１１ｆ同士が接近する。磁石には、Ｎ極とＳ極とがあり、同極同士は反発し、異極同士であれば吸着する。球形の磁石１１ｆ，１１ｆの対向する磁極が異極であれば、ジョイント１１，１１は吸着する。
【００１６】
一方、球形の磁石１１ｆ，１１ｆの対向する磁極が同極の場合、本発明の球形の磁石１１ｆは、筒状体１１ａ内にあっても、回転が自在な構成であるから、両者が近づくと一方又は双方が回転し、異極同士が向き合うようになり、吸着することができるようになる。
【００１７】
また、球形の磁石１１ｆ同士が吸着するので、その吸着は図２に示すように、点Ａでの点吸着となり、ジョイント１１，１１同士が吸着したあと、図３に示すように、一方のジョイント１１を固定して考えると、相手側のジョイントが１１’から１１”の範囲で自在に曲げることができる。ジョイント部が曲がると、吸着点Ａも球形の磁石１１ｆの表面上を移動することになるが、曲がりに追従して球形の磁石１１ｆも回動し、常にＮ極とＳ極が吸着した状態を保つことができる。
【００１８】
したがって、図１に示すようにジョイント１１，１１の結合部が、環状になった紐状体１０に沿って曲がることができ、自然な感じの環を形成することができる。
【００１９】
以上の構成において、スペーサ１１ｇは球形の磁石１１ｆの移動範囲を制限するために設けられたものであるが、必須ではない。スペーサ１１ｇが無くて、球形の磁石１１ｆの移動範囲が大きくなっても、もう一方のジョイントを近づけると、このジョイントにある球形の磁石１１ｆが、相手側のジョイントの磁石１１ｆを吸引して吸着することができるからである。
【００２０】
磁石を装身具など身体に付けて使用する場合、健康上の理由から磁束密度は２０００ガウス以下とされている。これに対し、本発明の球形の磁石１１ｆは、磁束密度を２０００ガウスを越えた強力なものにすることができる。身に付けた状態では、球形の磁石１１ｆ同士は吸着した状態になるが、球形の磁石１１ｆ同士が吸着した状態では、合成された磁束密度は１０００ガウス以下になることが判明した。これは、球形の磁石１１ｆ同士が吸着することで、磁束密度が吸収されるからと考えられる。したがって、健康上に悪影響を及ぼすことがなく、強力な結合力を持ったジョイントを得ることができる。
【００２１】
以上の構成において、有底の筒状体１１ａ及び蓋体１１ｂは、非磁性体であることが望ましい。鉄などの磁性体であると、筒状体１１ａ自身が磁気を帯び、球形の磁石同士が吸着しなくなるからである。
【００２２】
図４は、本発明の第２実施例を示す断面図である。ジョイント２１は、有底の筒状体２１ａの一端に、蓋体２１ｂをネジで螺合している。この蓋体２１ｂには、中心部に貫通孔２１ｅが穿設されているが、筒状体２１ａの底面２１ｃは、半球状に突出しており、貫通孔はない。そして、筒状体２１ａの内部には、球形の磁石１１ｆが収容されている。磁石１１ｆの直径は、底面２１ｃの内面の直径より若干小さくなっていて、筒状体２１ａ内で回転できる状態である。
【００２３】
蓋体２１ｂの中心に穿設された貫通孔２１ｅには、紐状体１０の端部が挿通され、蓋体２１ｂの内側で留具１０ａを固定することにより紐状体１０が蓋体２１ｂから抜け出るのを防止している。紐状体１０の端面と球形の磁石１１ｆとの間には、図２と同じスペーサ１１ｇが設けられ、磁石１１ｆが移動できる範囲を制限している。
【００２４】
仮想線で示すもう一方のジョイント２１も同じ構成となっている。そのため、紐状体１０の両端に取り付けたジョイント２１同士を近づけると、内部にある球形の磁石１１ｆ同士の吸引力によりジョイント２１，２１は吸着する。磁石には、Ｎ極とＳ極とがあり、同極同士は反発し、異極同士であれば吸着する。本発明の球形の磁石１１ｆは、筒状体２１ａ内にあっても、回転が自在な構成であるから、仮に同極同士が先端側になっていても、両者が近づくと一方又は双方が回転し、異極同士が向き合うようになり、必ず底面２１ｃ，２１ｃ同士が吸着することができる。また、球形の底面２１ｃ，２１ｃ同士が吸着するので、その吸着は点吸着となり、ジョイント２１，２１同士が吸着したあと、図３で説明したのと同じように、結合したジョイント２１を自在に曲げることができる。ジョイント部が曲がると、球形の磁石１１ｆも曲がりに追従して回動し、常にＮ極とＳ極が対向する状態を保つことができる。
【図面の簡単な説明】
【００２５】
【図１】本発明の紐状体用ジョイントを紐状体に使用した状態を示す図である。
【図２】図１の紐状体用ジョイントの拡大断面図である。
【図３】紐状体用ジョイントを結合した後、曲げることができる状態を説明する図である。
【図４】本発明の第２実施例の紐状体用ジョイントの断面図である。
【符号の説明】
【００２６】
１０      紐状体
１１，２１      紐状体用ジョイント
１１ａ，２１ａ    筒状体
１１ｄ    （筒状体の）貫通孔
１１ｆ    球形の磁石
２１ｃ    半球状の底面
【図１】
2008136521.tif 000003
【図２】
2008136521.tif 000004
【図３】
2008136521.tif 000005
【図４】
2008136521.tif 000006